(57)【要約】【課題】印刷物の偽造防止及び真贋判定を可能とする音声コード１を提供する。【解決手段】データ要素領域と、データ要素領域の切り出しと位置決めを行うための、線分と見出し線とでＴ字形に形成されたデータ認識用Ｔ字形マーカとを備えてなる音声コードにおいて、前記データ要素領域の一辺に平行して配列された複数の前記データ認識用Ｔ字マーカを一の配列単位としたときに、前記データ要素領域を囲む４つの前記データ認識用Ｔ字マーカの配列単位の内、少なくとも３つの配列単位において少なくとも一つの前記データ認識用Ｔ字形マーカに代えて、前記セルの面積の１／１６乃至１／４の面積からなる黒領域を、前記データ認識用Ｔ字形マーカの見出し線が位置した領域Ｒに、一箇所、若しくは８以下の複数個所備える特定マーカＰが配置され、該特定マーカは、一の前記黒領域と、他に存在する前記黒領域とが前記セルの一辺の長さの１／４以上となるよう配設される。【選択図】図２
2019095953.tif 000002
【特許請求の範囲】
【請求項１】
バイナリデータがセル化され、当該セルが縦横の２方向に配列されることで二次元マトリックス状に構成されたデータ要素領域と、前記データ要素領域を囲む破線からなる矩形部と、前記矩形部を成す前記破線の各線分から垂直に延出された見出し線とから構成されると共に、前記破線の前記線分及び前記見出し線でＴ字形に形成され前記データ要素領域の切り出しと位置決めを行うためのデータ認識用Ｔ字形マーカと、を有する二次元コードにおいて、
前記データ要素領域の一辺に平行して配列された複数の前記データ認識用Ｔ字マーカを一の配列単位としたときに、前記データ要素領域を囲む４つの前記データ認識用Ｔ字マーカの配列単位の内、少なくとも３つの配列単位において少なくとも一つの前記データ認識用Ｔ字形マーカに代えて、前記セルの面積の１／１６乃至１／４の面積からなる黒領域を、前記データ認識用Ｔ字形マーカの見出し線が位置した領域に、一箇所、若しくは８以下の複数個所備える特定マーカが配置され、
該特定マーカは、一の前記黒領域は、他に存在する前記黒領域と前記セルの一辺の長さの１／４以上の距離をおいて離隔するように配設されてなる偽造防止用の二次元コード。
【請求項２】
前記見出し線の領域は、一辺が１／１５０インチ乃至１／１００インチの範囲内の長さからなる前記セルを、前記見出し線の延出方向に２つ連設された大きさを有してなることを特徴とした請求項１に記載の偽造防止用の二次元コード。
【請求項３】
請求項１または請求項２記載の偽造防止用の二次元コードを備える印刷物。
【発明の詳細な説明】
【技術分野】
【０００１】
本発明は、偽造防止及び真贋判定を可能とする二次元コード、およびその二次元コードを有した印刷物に関する。
【背景技術】
【０００２】
近年、帳票、郵便物、チケット、金券類、証明書類等の印刷物の表面に、所定の情報を記録した二次元コードが備えられ、この二次元コードを光学的に読み取ることにより、更なる情報が簡単に取得できるように構成された印刷物が提供されている。
【０００３】
上述のような印刷物に備えられた二次元コードの中に、この二次元コードに記録された文字情報を、専用の読取装置や専用のアプリケーションがインストールされたスマートフォンなどで読み取ることにより、記録された文字情報が音声を使った読み上げにより聴取できる構成のものが提案されている。
【０００４】
この二次元コードの一例として、例えば、非特許文献１において示されているアプリケーションプログラムを用いることで読み取り可能な音声コード（Ｕｎｉ−Ｖｏｉｃｅ（登録商標））がある。この音声コードによると、専用の読取装置を使うことなく、前記アプリケーションプログラムをスマートフォンにダウンロードすることによって、該スマートフォンを使えば、記録された文字情報が音声を使った読み上げにより聴取できることから、視覚障がい者にとって利便性の高い二次元コードを有した印刷物とすることができる。
【先行技術文献】
【非特許文献】
【０００５】
【非特許文献１】「視覚障がい者向け音声コードＵｎｉ−Ｖｏｉｃｅスマートフォン対応アプリのＧＵＩ開発及びサードパーティー向けＳＤＫに関する開発  概要」、［online］、特定非営利活動法人日本視覚障がい情報普及支援協会、［平成２９年１１月７日検索］、インターネット＜ＵＲＬ：http://www.mhlw.go.jp/file/06-Seisakujouhou-12200000-Shakaiengokyokushougaihokenfukushibu/h27_9.pdf＞
【発明の概要】
【発明が解決しようとする課題】
【０００６】
しかしながら、近年の複写機の高性能化に伴い高精細、高品質な複写物が容易に得られるようになっており、上述の音声コードのような、小型サイズの中に大容量の情報を高密度で記録した二次元コードであっても、誰でも簡単に複写できてしまうといった問題があった。
【０００７】
更に、複写物が精度良く作成されるため、目視でも、専用のアプリケーションがインストールされたスマートフォンでも、二次元コードが真正か真正でないかを判定できないので、不正に利用されるといったセキュリティー上の問題も考えられた。
【０００８】
特に視覚障がい者にとっては、例えば二次元コードだけが精度良く作成された印刷物を受け取っても、専用のアプリケーションがインストールされたスマートフォンにより、記録された文字情報が聴取できてしまえば、それ以上の視覚情報の取得が難しいため、受け取った印刷物を真正であると認識してしまう問題があった。
【０００９】
本願発明は、上記問題に鑑み、複写による偽造を防止するとともに、複写物であることが二次元コード読取時に判別可能な二次元コード、及び該二次元コードを備えた印刷物を提供することを目的とする。また、専用のアプリケーションがインストールされたスマートフォンを使い、簡単に真贋判定が行える二次元コードを提供することを目的とする。
【課題を解決するための手段】
【００１０】
本願発明は、バイナリデータがセル化され、当該セルが縦横の２方向に配列されることで二次元マトリックス状に構成されたデータ要素領域と、前記データ要素領域を囲む破線からなる矩形部と、前記矩形部を成す前記破線の各線分から垂直に延出された見出し線とから構成されると共に、前記破線の前記線分及び前記見出し線でＴ字形に形成され前記データ要素領域の切り出しと位置決めを行うためのデータ認識用Ｔ字形マーカと、を有する二次元コードにおいて、前記データ要素領域の一辺に平行して配列された複数の前記データ認識用Ｔ字マーカを一の配列単位としたときに、前記データ要素領域を囲む４つの前記データ認識用Ｔ字マーカの配列単位の内、少なくとも３つの配列単位において少なくとも一の前記データ認識用Ｔ字形マーカに代えて、前記セルの面積の１／１６乃至１／４の面積からなる黒領域を、前記データ認識用Ｔ字形マーカの見出し線が位置した領域に、一箇所、若しくは８以下の複数個所備える特定マーカが配置され、該特定マーカは、一の前記黒領域と他の前記黒領域との間隙は、前記セルの一辺の長さの１／４以上となるように配設されてなることを特徴とする。
【００１１】
上述した本願発明にあって、前記見出し線の領域は、一辺が１／１５０インチ乃至１／１００インチの範囲内の長さからなる前記セルを、前記見出し線の延出方向に２つ連設された大きさを有してなることを特徴とする構成が提案される。
【００１２】
また、本願発明は、二次元コードを備えてなる偽造防止用の印刷物において、前記二次元コードは請求項１または請求項２記載の二次元コードからなることを特徴とする。
【発明の効果】
【００１３】
本願発明の二次元コードによると、前記データ要素領域の一辺に平行して配列された複数の前記データ認識用Ｔ字マーカを一の配列単位としたときに、前記データ要素領域を囲む４つの前記データ認識用Ｔ字形マーカの配列単位の内、少なくとも３つの配列単位において少なくとも一つの前記データ認識用Ｔ字形マーカに代えて前記特定マーカを備えさせた二次元コードであっても、該二次元コードの原本は、上述のアプリケーションプログラムがインストールされたスマートフォンを使って情報の読み取りができるものの、原本を、複写機を使って複写した二次元コードは、前記特定マーカが印刷されない、或いは正確に複写されないなどにより、上述のアプリケーションプログラムでは情報の読み取りができなくなることから、簡単な構成であっても、誰でも、簡単且つ正確に前記二次元コードの真贋判定が行うことができる二次元コードが提供できる。
【００１４】
これにより、視覚障がい者にとっては、専用のアプリケーションがインストールされたスマートフォンを使って、読み取った文字情報を音声により確認すれば、受取った前記二次元コードを備えた印刷物が本物であるかどうかをその場で判断できる、極めて利便性の高い印刷物を提供することができる。
【図面の簡単な説明】
【００１５】
【図１】従来の音声コード２の構成を説明するための概略説明図である。
【図２】本願発明の特定マーカＰを備えた音声コード１の構成を説明するための概略説明図である。
【図３】図２に示された本願発明の特定マーカＰを備えた音声コード１の一部を拡大した図であり、特定マーカＰの構成を説明するための概略説明図である。
【図４】図３に示された特定マーカＰの一実施例を説明するための説明図である。
【図５】本願発明の特定マーカＰの構成、及び特定マーカと領域Ｒの関係について説明するための説明図である。
【図６】本願発明の特定マーカＰの構成、及び特定マーカと領域Ｒの関係について説明するための説明図である。
【図７】本願発明の特定マーカＰを備えた音声コード１の評価結果を示す。
【図８】本願発明の特定マーカＰを備えた音声コード１の評価結果を示す。
【発明を実施するための形態】
【００１６】
本願に係る発明（以下「本発明」と称す）の実施例として、特定マーカＰを備えた二次元コードについて説明する。尚、本発明の二次元コードは、専用の読取装置や専用のアプリケーションがインストールされたスマートフォンにより、記録された文字情報が音声を使った読み上げにより聴取できるように構成された音声コード（Ｕｎｉ−Ｖｏｉｃｅ（登録商標））のことであり、以下の説明では前記二次元コードを音声コード１と称する。
【００１７】
本発明に係る前記特定マーカＰを備えた音声コード１を説明する前に、図１を参照して従来の音声コード２の基本的な構成を説明する。尚、本発明の音声コード１と従来の音声コード２とは、後に詳述する本発明の特徴である特定マーカＰの構成を除いて基本的な構成は同じである。
【００１８】
従来の音声コード２は、バイナリデータがセル化され、当該セルが縦横の２方向に配列されることで二次元マトリックス状に構成されたデータ要素領域５（右上がりの斜線で示されている領域）と、前記データ要素領域５を囲むように配設された、前記データ要素領域５の切り出しと位置決めを行うためのデータ認識用Ｔ字形マーカ２３、３３、４３、５３とを備えてなる。
【００１９】
図１を基に前記音声コード２を更に詳しく説明する。前記音声コード２は、前記データ要素領域５を囲うように配設された破線２０、３０、４０、５０を一辺とする矩形部１０と、前記矩形部１０を成す前記破線２０、３０、４０、５０の各線分２１、３１、４１、５１から垂直に延出された見出し線２２、３２、４２、５２と、前記破線２０、３０、４０、５０の前記線分２１、３１、４１、５１及び前記見出し線２２、３２、４２、５２から構成されるＴ字形のマーカであって、前記線分２１、３１、４１、５１の内、線分２１、３１のように、線分が前記データ要素領域５における一方の縦辺ａ側及びこの縦辺と直交する一方の横辺ｂ側に向けて配設されるように形成されたデータ認識用Ｔ字形マーカ２３、３３と、前記見出し線２２、３２、４２、５２の内、見出し線４２、５２のように、見出し線が前記データ要素領域５における互いに直交し前記一方の縦辺ａと前記一方の横辺ｂにそれぞれ対向する他方の縦辺ｃ側及び他方の横辺ｄ側に向けて配設されるように形成されたデータ認識用Ｔ字形マーカ４３、５３を備える。尚、前記データ要素領域５における一方の縦辺ａと平行に配列された複数のデータ認識用Ｔ字形マーカ２３が一つの配列単位を構成する。同様に、前記一方の横辺ｂと平行に配列された複数のデータ認識用Ｔ字形マーカ３３、他方の縦辺ｃと平行に配列された複数のデータ認識用Ｔ字形マーカ４３、他方の横辺ｄと平行に配列された複数のデータ認識用Ｔ字形マーカ５３が、それぞれ一つの配列単位を構成する。
【００２０】
前記データ認識用Ｔ字マーカ２３、３３、４３、５３は、該データ認識用Ｔ字マーカを構成する前記破線の線分２１、３１、４１、５１が、前記データ要素領域５の切り出しを行う基準となる。また、前記見出し線２２、３２、４２、５２は、前記データ要素領域５の位置決めを行うものであり、図１によく示されているように、対向する前記見出し線２１と前記見出し線４２と結ぶデータベースラインＤＢＬ（二点鎖線で示す）、及び対向する前記見出し線３２と前記見出し線５２と結ぶデータベースラインＤＢＬ（二点鎖線で示す）を基準とすることで、前記データ要素領域５内のセルを分割してその位置座標を決める。
【００２１】
これらの構成において、前記データ要素領域５と前記データ認識用Ｔ字形マーカは、前記データ要素領域５における前記一方の縦辺ａ及び一方の横辺ｂと前記データ認識用Ｔ字形マーカ２３、３３（より詳しくは前記線分２１、３１）との間に第一の空隙（図３参照）１１を有し、前記データ要素領域５における前記他方の縦辺ｃ及び他方の横辺ｄと前記データ認識用Ｔ字形４３、５３（より詳しくは前記見出し線４２、５２）との間には第二の空隙（図１参照）１２を有するように配設されることで従来の音声コード２が形成されている。
【００２２】
次に、図３を参照して前記データ要素領域５について説明する。前記データ要素領域５は、記録される文字情報に基づいて黒色セル６、白色セル７が縦横の２方向に配列された二次元マトリックスからなる。本発明においてはセルの一辺の長さは、１／１５０インチ乃至１／１００インチの範囲内の長さであればよいが、好ましくは１／１５０インチ（約０．１６９２ｍｍ）の長さであるのが良い。
【００２３】
次に、前記第一の空隙１１について図３を用いて更に詳しく説明する。この図によく示されているように、前記データ要素領域５の辺ａ（一方の縦辺）と前記データ認識用Ｔ字形マーカ２３を構成する前記線分２１が成す空隙、辺ｂ（一方の横辺）と前記データ認識用Ｔ字形マーカ３３を構成する前記線分３１が成す空隙が、上述した第一の空隙１１である。
【００２４】
前記第一の空隙１１の幅寸法Ｄは１／６００インチ以上、且つ、前記セルの一辺の長さより短い範囲内の間隔であればよいが、好ましくは１／６００インチ（約０．０４２３ｍｍ）が良い。また、前記第二の空隙１２の幅寸法は、前記見出し線４２、５２がデータ要素領域５の前記他方の縦辺ｃ及び他方の横辺ｄから１／６００インチ以上離れていれば良いが、好ましくは前記データ要素領域５の構成要素である前記セルの一辺の長さと同程度とするのが良い。これにより、前記音声コード２の外形寸法を必要以上に大きくすることがない。
【００２５】
このように構成された前記音声コード２の実施例について具体的に説明する。前記音声コード２は少なくとも４つのモードからなり、それぞれＸＳモードは６．８×６．８ｍｍ、Ｓモードは１２．３×１２．３ｍｍ、Ｍモードは１７．９×１７．９ｍｍ、Ｌモードは１９．８×１９．８ｍｍの大きさからなる。そして、夫々のモードにおける前記データ要素領域５を構成するセルの数は、セルの大きさが１／１５０インチである条件において、ＸＳモードは４０セル、Ｓモードは７３セル、Ｍモードは１０６セル、Ｌモードは１１７セルである。前記データ認識用Ｔ字形マーカを構成する前記線分２１、３１、４１、５１及び前記見出し線２２、３２、４２、５２の幅はセルの一辺と同じである。また、前記第一の空隙１１の幅寸法Ｄは１／６００インチの幅であり、前記第２の間隙の幅寸法は１／１５０インチの幅である。
【００２６】
前記音声コード２は、前記４つのモードの何れにおいても、前記セル１個の大きさ、前記データ認識用Ｔ字形マーカを構成する前記線分２１、３１、４１、５１及び前記見出し線２２、３２、４２、５２の長さと幅、前記第一の空隙の幅寸法Ｄ、前記第２の間隙の幅寸法は一定である。例えば、Ｌモードより外形が大きい音声コード２を作成した場合であっても、各構成要素の大きさや幅は変わらない。つまり、前記音声コード２は、前記セルの数をサイズに応じて増加させることができるので、記録するデータ容量に応じ適切なサイズの前記音声コード２を使い分けができる。
【００２７】
次に、本発明の音声コード１の詳細について図２、図３、図４を参照し具体的に説明する。これらの図において、図２は本発明の特定マーカＰを備えた音声コード１の構成を説明するための概略説明図である。図３は図２に示された本願発明の特定マーカＰを備えた音声コード１の一部を拡大した図であり、前記特定マーカＰの構成を説明するための概略説明図である。図４は本発明の特定マーカＰの一実施例を説明するための説明図である。尚、本発明に係る特定マーカＰを備えた音声コード１に係る基本的な構成は、以下において説明する特定マーカＰの構成を除いて、既に詳述した従来の音声コード２と同じであるため詳細な説明は省略する。
【００２８】
図２によく示されているように、本発明の一実施例である前記音声コード１は、前記データ要素領域５を囲む４つのデータ認識用Ｔ字マーカの配列単位の内、前記データ認識用Ｔ字マーカ２３の配列単位（図の右辺）、前記データ認識用Ｔ字マーカ４３の配列単位（図の左辺）、前記データ認識用Ｔ字マーカ５３の配列単位（図の下辺）において、それぞれの配列単位を構成する前記データ認識用Ｔ字形マーカの一つに代えて、該データ認識用Ｔ字形マーカを構成する前記見出し線２２、４２、５２が位置した領域Ｒ（図３の部分拡大図において右下がりの斜線で示されている領域。他の２箇所は図示せず。）に前記特定マーカＰが配設されている点において、上述した従来の音声コード２と相違する。
【００２９】
ここで、図４を参照して前記特定マーカＰが配設される前記領域Ｒについて詳しく説明する。図４において一点鎖線で示された領域は前記データ認識用Ｔ字形マーカ２３の範囲を示す仮想線である。この図４によく示されているように、前記セルの一辺の長さをＬとすると、前記データ認識用Ｔ字形マーカ２３の大きさは、前記線分２１の寸法が前記セル５個分の長さであり、前記見出し線２２の寸法が前記セル２個分の長さ２Ｌである。また、前記線分２１、及び前記見出し線２２の幅はセル１個分と同じ長さＬからなる。この仮想線で示された前記データ認識用Ｔ字形マーカ２３の領域の内、右下がりの斜線で示された前記見出し線２２の部分が、前記特定マーカＰが配設される前記領域Ｒである。本発明では、前記領域Ｒは、前記セル１個分の大きさからなる第一の領域Ｒ１と第二の領域Ｒ２が、前記見出し線２２の延出方向に２つ連設された大きさを有している。
【００３０】
尚、既に詳述したように、本発明においては、前記セルの一辺の長さＬは、１／１５０インチ乃至１／１００インチの範囲内の長さであればよく、好ましくは１／１５０インチ（約０．１６９２ｍｍ）の長さであるのが良い。この長さＬは、例えば解像度が６００ｄｐｉのプリンタで印字した場合、１／１５０インチ＝４ｄｏｔ／６００ｄｐｉであるから、前記セルの一辺は４ｄｏｔとなる。従って、前記領域Ｒは、解像度が６００ｄｐｉの条件において、１辺が４ｄｏｔからなる前記セルを、前記見出し線２２の延出方向に２つ連設された大きさとなる。そして、前記特定マーカＰは、この領域Ｒ内に配設される。
【００３１】
図４に示された実施例では、前記領域Ｒに配設された前記特定マーカＰは、前記第一の領域Ｒ１に配設された第一のマーカＰ１と、前記第二の領域Ｒ２に配設された第２のマーカＰ２から構成されている。この実施例によると、前記第一のマーカＰ１と前記第二のマーカＰ２は、それぞれ横２Ｓ×縦２Ｓのサイズの黒領域からなる。この時、前記セルの一辺の長さＬ＝４Ｓとすると、前記黒領域の面積は、前記セルの面積（Ｌ×Ｌ＝４Ｓ×４Ｓ）の１／４（２Ｓ×２Ｓ）となる。尚、以下の説明において前記黒領域のサイズを表示する場合は、特に明示した場合を除いて横（図の左右方向）×縦（図の上下方向）で示す。ここで、Ｓは黒領域の一辺の長さの最小寸法を示す。
【００３２】
また、前記セルの一辺の長さＬ＝４Ｗ（＝４Ｓ）とすると、図４に示された実施例では、前記第一のマーカＰ１と第二のマーカＰ２の黒領域が、それぞれ前記第一の領域Ｒ１、第二の領域Ｒ２の中央部に配設されているから、前記第一のマーカＰ１の黒領域と第二のマーカＰ２の黒領域は間隙が２Ｗ離れるように配設された構成となっている。ここで、Ｗは一の黒領域と他の黒領域との間隙の最小寸法を示す。尚、前記黒領域のサイズ、及び前記間隙Ｗについての詳細な説明は後述する。
【００３３】
次に、前記特定マーカＰについて図５、及び図６を参照して更に詳しく説明する。これらの図において示される複数の黒領域からなる前記特定マーカＰも、図４で示される実施例と同様に、前記第一の領域Ｒ１に配設されるのが第一のマーカＰ１であり、前記第二の領域Ｒ２に配設されるのが第２のマーカＰ２である。尚、図５、及び図６で示される特定マーカＰの実施例は、該特定マーカＰを構成する前記黒領域が前記領域Ｒ内で物理的に取り得る構成例を説明するものであり、ここでは特定マーカＰの評価は行わない。図５、及び図６で例示された実施例を含め、これらの特定マーカＰが本発明に係る作用効果を有するか否かの評価は、後に詳述する音声コード１の読取評価結果に基づく。
【００３４】
先ず、図５を参照して、前記特定マーカＰの構成、及び特定マーカＰと前記領域Ｒの関係について説明する。尚、説明を簡単にするため、以下の説明では、前記第一の領域Ｒ１と、該第一の領域Ｒ１に配設された前記第一のマーカＰ１に着目して説明する。尚、図４と同様に、図５においても前記セルの一辺の長さＬ＝４Ｓ＝４Ｗとし、それぞれＳは黒領域の一辺の長さの最小寸法を示し、Ｗは一の黒領域と他の黒領域との間隙の最小寸法を示す。
【００３５】
図５（ａ）には、前記第一の領域Ｒ１に、サイズが１Ｓ×１Ｓ（横×縦  以下同様）の４つの黒領域を、互いに間隙がＷ離れるように配置されてなる前記第一のマーカＰ１が配設された例が示されている。図５（ｂ）には、前記第一の領域Ｒ１に、サイズが１Ｓ×２Ｓの２つの黒領域とサイズが２Ｓ×１Ｓの１つの黒領域を、互いに間隙がＷ離れるように配置されてなる前記第一のマーカＰ１が配設された例が示されている。同様に、図５（ｃ）には、前記第一の領域Ｒ１に、サイズが１Ｓ×２Ｓの１つの黒領域とサイズが１Ｓ×４Ｓの１つの黒領域を、互いに間隙Ｗ離れるように配置されてなる前記第一のマーカＰ１が、図５（ｄ）には、前記第一の領域Ｒ１に、サイズが１Ｓ×４Ｓの２つの黒領域を、互いに間隙２Ｗ離れるように配置されてなる前記第一のマーカＰ１が、それぞれ配設された例が示されている。
【００３６】
図５（ａ）、（ｂ）、（ｃ）、（ｄ）の実施例から分かる通り、前記セルの一辺の長さＬ＝４Ｓ＝４Ｗで、且つ一の前記黒領域と他の前記黒領域との間隙≧Ｗとすると、１Ｓ×１Ｓの黒領域は、前記第一の領域Ｒ１に最大で４つ配置することができ、１Ｓ×２Ｓ（２Ｓ×１Ｓ）の黒領域は、前記第一の領域Ｒ１に最大で３つ配置することができ、１Ｓ×３Ｓ（３Ｓ×１Ｓ）、１Ｓ×４Ｓ（４Ｓ×１Ｓ）の黒領域は、前記第一の領域Ｒ１に最大で２つ配置することができる。
【００３７】
また、図５（ｅ）には、前記第一の領域Ｒ１に、サイズが２Ｓ×２Ｓの１つの黒領域からなる第一のマーカＰ１が配設された例が示されている。図５（ｆ）には、前記第一の領域Ｒ１に、サイズが２Ｓ×３Ｓの１つの黒領域からなる第一のマーカＰ１の例が示されている。
【００３８】
図５（ｅ）、（ｆ）の実施例から分かる通り、サイズが２Ｓ×２Ｓ、２Ｓ×３Ｓ、図では示されていないサイズが３Ｓ×３Ｓ、３Ｓ×４Ｓ（４Ｓ×３Ｓ）、４Ｓ×４Ｓの黒領域（一辺が１Ｓでない黒領域）は、前記第一の領域Ｒ１に最大で１つしか配置することができないことが分かる。
【００３９】
図５の実施例に対して、図６には、前記第一の領域Ｒ１に配設された前記第一のマーカＰ１に加え、前記第二の領域Ｒ２に前記第二のマーカＰ２を配設させた例が示されている。これらの図において、図６（ｇ）には、図５（ａ）と同じ構成の黒領域からなる前記第二のマーカＰ２が、互いに間隙Ｗ離れて前記第二の領域Ｒ２に配設された例が示されている。一方、図６（ｉ）には、前記第一の領域Ｒ１に、サイズが１Ｓ×２Ｓの１つの黒領域とサイズが１Ｓ×４Ｓの１つの黒領域が、互いに間隙Ｗ離れるように配置されてなる第一のマーカＰ１（図５（ｃ）の構成）が配設され、前記第二の領域Ｒ２には、サイズが１Ｓ×４Ｓの２つの黒領域を、互いに間隙２Ｗ離れるように配置されてなる第二のマーカＰ２（図５（ｄ）と同じ構成）が配設され、しかも前記第一のマーカＰ１と前記第二のマーカＰ２とは間隙Ｗ離して配設された例が示されている。また、図６（ｊ）には、前記第一の領域Ｒ１に、サイズが４Ｓ×４Ｓの１つの黒領域が配設され、前記第二の領域Ｒ２に、図５（ｆ）と同じ構成の黒領域からなる第二のマーカＰ２が、互いに間隙Ｗ離れて配設された例が示されている。
【００４０】
つまり前記特定マーカＰは、図６（ｇ）に示されているように、前記第一の領域Ｒ１に配設された前記第一のマーカＰ１と同じ構成の第二のマーカＰ２を前記第二の領域Ｒ２に配設したとしても、上記の条件である一の前記黒領域と他の前記黒領域との間隙≧Ｗとすることができれば、前記第一のマーカＰ１と前記第二のマーカＰ２とで前記特定マーカＰとなり得ることが示されている。また、図６（ｉ）、（ｊ）に示されているように、前記第一の領域Ｒ１に配設された前記第一のマーカＰ１と、前記第二の領域Ｒ２に配設された前記第二のマーカＰ２の構成が異なっていても、上記の条件である一の前記黒領域と他の前記黒領域との間隙≧Ｗとすることができれば、前記特定マーカＰとなり得ることを示している。
【００４１】
一方、図６（ｋ）には、前記第一の領域Ｒ１に、サイズが１Ｓ×１Ｓの８つの黒領域が格子状に配置された例が示されている。この実施例によく示されているように、一の黒領域と他の黒領域の間隙の全てがＷ以上である条件を満たさない場合は、前記黒領域は本発明の前記特定マーカＰにはなり得ない。
【００４２】
以上、本発明の前記特定マーカＰの構成と、前記特定マーカＰと前記領域Ｒの関係を説明したが、例えば、図５（ａ）で示される前記第一のマーカＰ１は、図６（ｇ）で示される前記第一のマーカＰ１のように、前記第一の領域Ｒ１内であれば、その領域内の何れに配設されていても良い。また、図６（ｈ）の実施例のように、前記第一のマーカＰ１と前記第二のマーカＰ２を配設させる場合において、前記第一のマーカＰ１と前記第二のマーカＰ２が間隙≧Ｗを有すれば、それぞれの領域内の何れに配設されていても良いなど、実施例に限定されないことは言うまでもない。
【００４３】
次に図７、及び図８を参照して、前記特定マーカＰを具備した前記音声コード１の評価結果について説明すると共に、該評価結果に基づいて、本発明に係る前記特定マーカＰの条件を説明する。
【００４４】
［読取評価に用いた装置］
非特許文献１として示した「視覚障がい者向け音声コードＵｎｉ−Ｖｏｉｃｅスマートフォン対応アプリのＧＵＩ開発及びサードパーティー向けＳＤＫに関する開発  概要」に記載のアプリケーションプログラムであるＵｎｉ−ＶｏｉｃｅＢＬをインストールしたスマートフォンを用いた。
【００４５】
［音声コード１の種類］
前記特定マーカＰが、データ認識用Ｔ字マーカ２３の配列単位、データ認識用Ｔ字マーカ４３の配列単位、データ認識用Ｔ字マーカ５３の配列単位に、それぞれ一つずつ配設された前記音声コード１（図２で示される実施例、図７、図８の評価結果には試料Ａ：３辺加工と記載）と、前記特定マーカＰが、４つのデータ認識用Ｔ字マーカの配列単位の全てに、それぞれ一つずつ配設された音声コード（図示せず、図７、図８の評価結果には試料Ｂ：４辺加工と記載）の２種類について評価を行った。尚、前記特定マーカＰが、４つのデータ認識用Ｔ字マーカの配列単位の内の、何れか一つの配列単位、若しくは２つの配列単位だけに配設された実施例は、スマートフォンを使った事前の読取評価において、原本の音声コード１も複写物の音声コード２も読み取りができてしまい、コピー防止効果がないことが確認されたので、評価対象から省いた。
【００４６】
［読取評価に用いた音声コード１の諸元］
読取評価に用いた前記音声コード１は、前記データ要素領域５をなす前記セルの一辺が１／１５０インチ（約０．１６９２ｍｍ）の長さＬからなる。また、前記セルの一辺の長さＬ（＝４Ｓ＝４Ｗ）で、且つ一の前記黒領域と他の前記黒領域との間隙≧Ｗとすると、前記第一の領域Ｒ１に配設される前記黒領域のサイズ（横×縦）は、１／６００インチ（セルの一辺の長さの１／４）、２／６００インチ（セルの一辺の長さの２／４）、３／６００インチ（セルの一辺の長さの３／４）、４／６００インチ（セルの一辺の長さと同じ）の何れかの組み合わせを取り得る。また、前記間隙Ｗの寸法は最小で１／６００インチ（セルの一辺の長さの１／４）、最大で６／６００インチ（セルの一辺の長さの６／４）を取り得る。ここで、前記黒領域の一辺の長さの最小寸法Ｓ、及び一の黒領域と他の黒領域との間隙の最小寸法Ｗは、それぞれ１／６００インチ（０．０４２３ｍｍ）である。
【００４７】
本発明の前記特定マーカＰを備えた音声コード１は、６００ｄｐｉの解像度からなるプリンタにより印字されたものを用いて評価を行った。従って、以下の説明では、前記セルのサイズ、前記黒領域のサイズ、間隙Ｗのサイズについて全てｄｏｔ表示で行う。
【００４８】
本発明の読取評価に用いた前記音声コード１は、前記セルの一辺が１／１５０インチ（約０．１６９２ｍｍ）であるから、１セルは４ｄｏｔ（セルの長さＬ＝１／１５０インチ＝４ｄｏｔ／６００ｄｏｔ）となり、前記第一の領域Ｒ１に配設される前記黒領域のサイズは、最小で１ｄｏｔ、最大で１６ｄｏｔ（図６（ｊ）を参照）の内の何れかとなる。また、前記間隙Ｗの最小値は１ｄｏｔである。例えば、図６（ｉ）で例示した前記特定マークＰは、サイズが１×２ｄｏｔの黒領域１つと、サイズが１×４ｄｏｔの黒領域１つが、間隙Ｗが１ｄｏｔとなるように前記第一の領域Ｒ１に配設された第一のマークＰ１と、サイズが１×４ｄｏｔの黒領域２つが、間隙Ｗが２ｄｏｔとなるように前記第二の領域Ｒ１に配設された第二のマークＰ２と、が互いに１ｄｏｔの間隙Ｗを挟んで配設されている。このように、６００ｄｐｉの解像度の条件において、前記黒領域の最小値Ｓ、及び一の黒領域と他の黒領域との間隙の最小値Ｗは、それぞれ１ｄｏｔの大きさとなる。
【００４９】
尚、上述の説明において、前記黒領域のサイズを１×２ｄｏｔ、１×４ｄｏｔのように表示したが、これは、それぞれ２ｄｏｔ分の黒領域が一列、４ｄｏｔ分の黒領域が一列であることを示している。つまり、黒領域のサイズをｄｏｔで表示する場合は（列の数×ｄｏｔ数）で表示している。例えばサイズが２Ｓ×２Ｓ（横×縦）の黒領域は２ｄｏｔ分の黒領域が二列であるから、２×２ｄｏｔ（列×ｄｏｔ数）と表示する。以下の説明では、特に明示した場合を除き、前記黒領域のサイズは（列の数×ｄｏｔ数）によるｄｏｔ表示とする。
【００５０】
［音声コード１の評価方法］
図７、及び図８に示されている前記特定マーカＰについて、該特定マーカＰを３つのデータ認識用Ｔ字マーカの配列単位のそれぞれに一つずつ備えさせた前記音声コード（図２で示される実施例。以下、試料Ａと記載する）と、４つのデータ認識用Ｔ字マーカの配列単位のそれぞれに備えさせた前記音声コード（図示せず。以下、試料Ｂと記載する）を解像度が６００ｄｐｉのプリンタにより印字する。該音声コードが印字された基材を原本（図７、及び図８の評価結果には原本と記載）とし、該原本を複写機で複写したものを複写物（図７、及び図８の評価結果にはコピーと記載）とし、この原本に印字された音声コード１と複写物に複写された音声コード１´が、上述のアプリケーションプログラムがインストールされたスマートフォンにより読み取れるか読み取れないかの評価を行った。
【００５１】
図７、及び図８の評価結果において◎、〇、若しくは×で示されるのは、音声コードの読み取りが正常にできるか否かを示し、◎印は音声コードにピントが合った直後に読み取りができ、〇印は読み取りができるものの、読み取るまでに実用上問題ないほどの僅かな遅れを生じる場合があることを示している。一方、×印は読み取りができない、読み取りが不安定な状態があることを示し、実用に適さないことを示している。
【００５２】
尚、評価結果の説明を簡単にするため、図７、及び図８には、上述の図５の説明と同様に、前記特定マーカＰとして前記第一の領域Ｒ１に配設された前記第一のマーカＰ１に着目した評価結果だけを示した。これは、前記第一の領域Ｒ１に配設された前記第一のマーカＰ１だけで評価結果がＯＫ（つまり、原本の音声コード１は情報が読み取れ、該原本を複写した複写物の音声コード１´は情報が読み取れない）であれば、前記第一のマーカＰ１と同様な構成からなる前記第二のマーカＰ２を前記第二の領域Ｐ２に配設しても、評価結果がＯＫとなることが確認されているからである（例えば、図６（ｇ）で示される構成。評価結果は省略）。また、評価結果がＯＫであることが確認されておれば、前記第一の領域Ｒ１に配設したものとは異なる構成からなるマーカを前記第二の領域Ｒ２に配設しても、評価結果がＯＫになることが確認されている（例えば、図６（ｉ）に示された、図５（ｃ）の第一のマーカＰ１と、図５（ｄ）の第一のマーカＰ１を組み合わせた構成。評価結果は省略）。
【００５３】
［評価結果１：特定マーカＰのサイズの評価］
図７を参照して評価結果について考察する。この評価結果から分かる通り、試料Ａも試料Ｂも、前記第一のマーカＰ１を構成する黒領域のサイズ（列の数×ｄｏｔの数。以下同様）が２×２ｄｏｔ以下の場合と、２×３ｄｏｔ以上の場合とで評価結果が異なる。即ち、前記第一のマーカＰ１が２×３ｄｏｔ以上のサイズを有した黒領域からなる場合、原本の前記音声コード１も、該原本を複写した複写物の前記音声コード１´であっても、前記音声コード１、及び前記音声コード１´に記録された情報（文字情報、音声情報など）が読み取れる結果が得られた（評価結果ＮＧ）。つまり、前記スマートフォンにインストールされた前記アプリケーションプログラムでは、前記黒領域のサイズが大きいので、前記第一のマーカＰ１が前記データ認識用Ｔ字形マーカと認識されることが分かった。
【００５４】
これに対して、前記第一のマーカＰ１を構成する前記黒領域のサイズが２×２ｄｏｔ以下の場合、１×１ｄｏｔのサイズの黒領域から、１×４ｄｏｔのサイズの長方形をした黒領域を含め、原本は、前記音声コード１に記録された情報（文字情報、音声情報など）が読み取れるものの、該原本を複写した複写物では、複写された音声コード１´に記録された情報（文字情報、音声情報など）が読み取れないことが分かった（評価結果ＯＫ）。
【００５５】
これは、１×４ｄｏｔのサイズより小さい矩形の前記黒領域については、該黒領域の短辺方向の幅（０．０４３ｍｍ＝１／６００インチ）が、プリンタでは印字可能で複写機では複写されない大きさで形成されているからである。このため、複写された前記音声コード１´には、前記データ認識用Ｔ字形マーカの代わりになる前記特定マーカＰが存在しないことになる。一方、サイズが２×２ｄｏｔの前記黒領域が、スマートフォンによる読取評価で評価結果ＯＫとなったのは、前記黒領域のサイズが小さいので、複写機により前記第一のマーカＰ１が正確に複写されないなどにより、複写された特定マーカＰが、前記データ認識用Ｔ字形マーカとして認識されないためであると考えられる。
【００５６】
このように図７の評価結果によると、前記第一のマーカＰ１（同様に、前記第二のマーカＰ２）のサイズが、１×１ｄｏｔ乃至２×２ｄｏｔ以下、換言すれば前記セルの面積（４×４ｄｏｔ）の１／１６乃至１／４の面積からなる前記黒領域で構成されておれば、上述のアプリケーションプログラムをインストールしたスマートフォンを用いることにより、真贋判定を行うことができる。
【００５７】
［評価結果２：特定マーカＰの構成の評価］
次に、図８を参照して評価結果について考察する。この評価結果から分かる通り、図７の評価結果により評価結果ＯＫ（つまり、原本の前記音声コード１は情報が読み取れ、原本を複写した前記音声コード１´は情報が読み取れない）となった黒領域が、一の前記黒領域と他の前記黒領域との間隙Ｗ≧１ｄｏｔとなるように配設されておれば、前記第一のマーカＰ１（同様に、前記第二のマーカＰ２）が複数の黒領域から構成されたものであっても、本発明の特定マーカＰとなり得る（図８では評価結果ＯＫで示される）。尚、前記黒領域の最小サイズが１×１ｄｏｔで、しかも一の前記黒領域と他の前記黒領域との間隙Ｗ≧１ｄｏｔとした場合、図６（ｇ）に示したように、前記領域Ｒに配設される前記黒領域の数は最大で８つとなる。
【００５８】
［特定マーカＰの条件］
上述の評価結果１、２から、前記データ要素領域の一辺に平行して配列された複数の前記データ認識用Ｔ字マーカを一の配列単位としたときに、前記データ要素領域を囲む４つの前記データ認識用Ｔ字マーカの配列単位の内、少なくとも３つの配列単位において少なくとも一つの前記データ認識用Ｔ字マーカに代えて、前記セルの面積の１／１６乃至１／４の面積からなる黒領域を、前記データ認識用Ｔ字形マーカの見出し線が位置した領域に、一箇所、若しくは８以下の複数個所備え、しかも、一の前記黒領域は、他に存在する前記黒領域と前記セルの一辺の長さの１／４以上の距離をおいて離隔するように配設されることで、本発明の作用効果を有した特定マーカＰが構成される。
【００５９】
尚、上述の読取評価に使用した前記音声コード１は、前記特定マーカＰが、３つのデータ認識用Ｔ字マーカの配列単位に、それぞれ一つずつ配設された試料Ａ（図２で示される実施例）と、前記特定マーカＰが、４つのデータ認識用Ｔ字マーカの配列単位の全てに、それぞれ一つずつ配設された試料Ｂ（実施例は図示せず）の２種類の実施例を示したが、これらの実施例のように、各配列単位に一つだけ特定マーカＰを備えさせた構成に限定されるものではなく、例えば、前記特定マーカＰが、データ認識用Ｔ字マーカの配列単位に、二つ以上配設された構成にしても良い。また、データ認識用Ｔ字マーカの配列単位毎に、特定マーカＰを備えさせる数を変えても良いなど、その構成を適宜変更しても良いことは言うまでもない。
【００６０】
これまで説明したように、本発明に係る前記特定マーカＰについて本願発明人が鋭意研究したところによると、従来の音声コード２（図１を参照）における前記データ認識用Ｔ字形マーカに代えて、上記条件に基づいた微小な黒領域からなる前記特定マーカＰを備えさせた構成とすれば、上述のアプリケーションプログラムをインストールしたスマートフォンを用いることにより、原本の音声コード１は情報（文字情報、音声情報など）が読み取れ、原本を複写した複写物の音声コード１´であれば情報（文字情報、音声情報など）が読み取れなくできることを見出した。従って、本発明によると、簡単な構成であっても、誰でも、簡単且つ正確に真贋判定を行うことができる前記特定マーカＰを備えた偽造防止用の前記音声コード１を提供できる。
【００６１】
これにより、視覚障がい者にとっては、上述のアプリケーションプログラムがインストールされたスマートフォンを使って、読み取った文字情報を音声により確認すれば、受取った音声コード１を備えた印刷物が本物であるかどうかをその場で判断できる、極めて利便性の高い印刷物を提供することができる。
【符号の説明】
【００６２】
１        音声コード（二次元コード、原本の音声コード）
１´      音声コード（二次元コード、複写の音声コード）
２        音声コード（二次元コード、従来の音声コード）
５        データ要素領域
６        黒色セル
７        白色セル
１０      矩形部
１１      第一の空隙
１２      第二の空隙
２０、３０、４０、５０    破線
２１、３１、４１、５１  線分
２２、３２、４２、５２  見出し線
２３、３３、４３、５３  データ認識用Ｔ字形マーカ
ＤＢＬ    データベースライン
Ｐ        特定マーカ
Ｐ１    第一のマーカ
Ｐ２    第二のマーカ
Ｒ        領域
Ｒ１    第一の領域
Ｒ２    第二の領域
Ｌ        セルの一辺の寸法
Ｓ        黒領域の一辺の最小寸法
Ｗ        間隙の最小寸法
ａ        一方の縦辺（データ要素領域）
ｂ        一方の横辺（データ要素領域）
ｃ        他方の縦辺（データ要素領域）
ｄ        他方の横辺（データ要素領域）
【図１】
2019095953.tif 000003
【図２】
2019095953.tif 000004
【図３】
2019095953.tif 000005
【図４】
2019095953.tif 000006
【図５】
2019095953.tif 000007
【図６】
2019095953.tif 000008
【図７】
2019095953.tif 000009
【図８】
2019095953.tif 000010